(57)【要約】【課題】生産した商品の重量ロスなどの情報を具体的に検知することができる計量装置を得る。【解決手段】本発明の計量装置は、商品を計量する計量部２と、オペレータが設定した定重量定額及び上限値などの情報、計量部２によって得た情報、及び、これらの情報を基に算出された情報などを表示する表示部３と、計量部２の計量を実行する計量キー４と、オペレータが各種情報を入力するのに用いる入力キー５と、各情報を記憶可能な記憶部６と、計量装置の各種制御を行うＣＰＵ７と、ＣＰＵ７によって実行されるプログラムが格納されているＲＯＭ８と、を備えている。記憶部６に記憶された情報を基に、ＣＰＵ７及びＲＯＭ８を有している算出部によって、前記商品ごとに前記実重量と前記定重量との重量差を計算し、表示部３に表示する。【選択図】図２
2010156606.tif 000002
【特許請求の範囲】
【請求項１】
定重量定額に設定した商品の実重量を計量する計量部と、
前記商品の定重量定額の情報と、前記商品ごとの前記実重量の情報とを記憶する記憶部と、
前記記憶部に記憶された情報を基に、前記商品ごとに前記実重量と前記定重量との重量差を計算する算出部と、
前記重量差を表示する表示部と、を備えていることを特徴とする計量装置。
【請求項２】
前記算出部が、前記重量差及び前記定重量定額の情報に基づいて、前記定額と前記商品の実金額との金額差を算出するものであり、
前記表示部が、前記金額差を表示するものであることを特徴とする請求項１に記載の計量装置。
【請求項３】
前記算出部が、前記重量差と前記定重量との比を百分率で算出するものであり、
前記表示部が、前記比を表示するものであることを特徴とする請求項１又は２に記載の計量装置。
【請求項４】
前記算出部が、前記記憶部に記憶された前記重量差の値を累積して累積重量差を算出するものであり、
前記表示部が、前記累積重量差を表示するものであることを特徴とする請求項１〜３のいずれか１項に記載の計量装置。
【請求項５】
前記算出部が、前記記憶部に記憶された前記累積重量差の情報及び前記定重量定額の情報を基に、前記金額差の累積値である累積金額差を算出するものであり、
前記表示部が、前記累積金額差を表示するものであることを特徴とする請求項１〜４のいずれか１項に記載の計量装置。
【請求項６】
前記重量差が所定の上限値に到達した際、所定の警告を発する警告部を備えていることを特徴とする請求項１〜５のいずれか１項に記載の計量装置。
【請求項７】
前記算出部が、前記記憶部に記憶された前記重量差の情報を基に、前記重量差の平均値を算出するものであり、
前記表示部が、前記重量差の平均値を表示するものであることを特徴とする請求項１〜６のいずれか１項に記載の計量装置。
【請求項８】
前記算出部が、前記重量差の平均値及び前記定重量定額の情報に基づいて、前記定額と前記商品の実金額との金額差の平均値を算出するものであり、
前記表示部が、前記金額差の平均値を表示するものであることを特徴とする請求項７に記載の計量装置。
【請求項９】
前記算出部が、前記重量差の平均値と前記定重量との比を百分率で算出するものであり、
前記表示部が、前記比を表示するものであることを特徴とする請求項７又は８に記載の計量装置。
【請求項１０】
前記重量差の平均値が所定の上限値に到達した際、前記警告部が所定の警告を発するものであることを特徴とする請求項７〜９のいずれか１項に記載の計量装置。
【請求項１１】
前記算出部が、前記記憶部に記憶された前記実重量の情報に基づいて重量分布情報を生成するものであり、
前記表示部が、前記重量分布情報を表示するものであることを特徴とする請求項１〜１０のいずれか１項に記載の計量装置。
【発明の詳細な説明】
【技術分野】
【０００１】
本発明は、定重量定額に設定した商品を実際に計量して得られる実重量の情報を活用する計量装置に関する。
【背景技術】
【０００２】
従来から、定重量定額に設定した商品を実際に計量して得られる実重量の情報を活用する計量装置は開示されている。例えば、下記特許文献１に挙げられるものがあり、具体的には、商品に関する各種情報を設定した記憶部から特定の商品情報と計量部で計量した重量とから前記商品の値段を算出して、ラベルを印字発行する電子料金秤であって、定重量定額に設定した商品のラベルを印字発行する定重量定額ラベル発行モードへ設定するモード設定手段と、定重量定額発行モードとされた時に、前記計量部で計量して得た計量値付け情報と定重量定額発行モードの定額値付け情報とを比較してその差額の値段を算出する値段算出手段と、この値段算出手段で算出した差額値段を前記ラベルに印字する印字手段と、を備えているものが開示されている。
【０００３】
【特許文献１】特開２００６−３０８４６７号公報
【発明の開示】
【発明が解決しようとする課題】
【０００４】
しかしながら、特許文献１のものは、定重量定額に設定した商品の実重量の情報から、購買者に向かってお買い得な情報などを発信することができるものの、パック詰めなどによって生産される商品の重量ロス又は金額ロスなどの経営者側が知りたい情報を具体的に検知することができるものではなかった。
【０００５】
上記課題に鑑み、本発明の目的は、定重量定額に設定した商品の実重量の情報などから、生産した商品の重量ロス又は金額ロスなどの情報を具体的に検知することができる計量装置を提供することである。
【課題を解決するための手段】
【０００６】
（１）本発明の計量装置は、定重量定額に設定した商品の実重量を計量する計量部と、前記商品の定重量定額の情報と、前記商品ごとの前記実重量の情報とを記憶する記憶部と、前記記憶部に記憶された情報を基に、前記商品ごとに前記実重量と前記定重量との重量差を計算する算出部と、前記重量差を表示する表示部と、を備えているものである。
【０００７】
上記（１）の構成によれば、生産した商品の重量ロス（前記実重量と前記定重量との重量差）の情報を具体的に検知及び表示することが可能な計量装置を提供できる。なお、本発明の計量装置によって得られた重量ロスの情報を、オペレータなどが直接確認すれば、前記商品の生産時のロスを抑制することが可能となる。
【０００８】
（２）  上記（１）の計量装置においては、前記算出部が、前記重量差及び前記定重量定額の情報に基づいて、前記定額と前記商品の実金額との金額差を算出するものであり、前記表示部が、前記金額差を表示するものであってもよい。
【０００９】
上記（２）の構成によれば、生産した商品の金額ロス（前記実金額と前記定額との重量差）の情報を具体的に検知及び表示することが可能な計量装置を提供できる。なお、本発明の計量装置によって得られた金額ロスの情報を、オペレータなどが直接確認することで、商品の生産時のロスをより抑制することが可能となる。
【００１０】
（３）  上記（１）又は（２）の計量装置においては、前記算出部が、前記重量差と前記定重量との比を百分率で算出するものであり、前記表示部が、前記比を表示するものであってもよい。
【００１１】
上記（３）の構成によれば、生産した商品のロス率（前記重量差と前記定重量との比）を明確に検知及び表示することが可能な計量装置を提供することができる。なお、本発明の計量装置によって得られたロス率（前記重量差と前記定重量との比）の情報は、直感的に理解できるものなので、オペレータなどが確認すれば、商品の生産時のロスをより抑制することができる。
【００１２】
（４）  上記（１）〜（３）の計量装置においては、前記算出部が、前記記憶部に記憶された前記重量差の値を累積して累積重量差を算出するものであり、前記表示部が、前記累積重量差を表示するものであってもよい。
【００１３】
上記（４）の構成によれば、現在までの重量ロスの累積値（累積重量差）を明確に検知及び表示することが可能な計量装置を提供することができる。なお、本発明の計量装置によって得られた重量ロスの累積値（累積重量差）の情報は、容易に視認できるものなので、オペレータなどが確認すれば、商品の生産時のロスをより抑制することができる。
【００１４】
（５）  上記（１）〜（４）の計量装置においては、前記算出部が、前記記憶部に記憶された前記累積重量差の情報及び前記定重量定額の情報を基に、前記金額差の累積値である累積金額差を算出するものであり、前記表示部が、前記累積金額差を表示するものであってもよい。
【００１５】
上記（５）の構成によれば、現在までの金額ロスの累積値（累積金額差）を明確に検知及び表示することが可能な計量装置を提供することができる。なお、本発明の計量装置によって得られた金額ロスの累積値（累積金額差）の情報は、容易に視認できるものなので、オペレータなどが確認すれば、商品の生産時のロスをより抑制することができる。
【００１６】
（６）  上記（１）〜（５）の計量装置においては、前記重量差が所定の上限値に到達した際、所定の警告を発する警告部を備えていることが好ましい。
【００１７】
上記（６）の構成によれば、前記重量差が予め設定しておいた所定の上限値以上になっていることを、オペレータなどに報知することが可能な計量装置を提供することができる。なお、例えば、前記警告をオペレータなどに報知することで、商品の生産時のロスを抑制するように促すことができる。
【００１８】
（７）  上記（１）〜（６）の計量装置においては、前記算出部が、前記記憶部に記憶された前記重量差の情報を基に、前記重量差の平均値を算出するものであり、前記表示部が、前記重量差の平均値を表示するものであってもよい。
【００１９】
上記（７）の構成によれば、生産した商品の重量ロス（前記実重量と前記定重量との重量差）の平均値の情報を具体的に検知及び表示することが可能な計量装置を提供できる。なお、本発明の計量装置によって得られた重量ロスの平均値の情報を、オペレータなどが直接確認すれば、前記商品の生産時のロスを抑制することが可能となる。
【００２０】
（８）  上記（７）の計量装置においては、前記算出部が、前記重量差の平均値及び前記定重量定額の情報に基づいて、前記定額と前記商品の実金額との金額差の平均値を算出するものであり、前記表示部が、前記金額差の平均値を表示するものであることが好ましい。
【００２１】
上記（８）の構成によれば、生産した商品の金額ロス（前記実金額と前記定額との重量差）の平均値の情報を具体的に検知及び表示することが可能な計量装置を提供できる。なお、本発明の計量装置によって得られた金額ロスの平均値の情報を、オペレータなどが直接確認することで、商品の生産時のロスをより抑制することが可能となる。また、本発明の計量装置によって得られた金額ロスの平均値の情報を、例えば、チェーン店舗ごとに分析し、経理面から金額ロスのある店舗の経営改善を行うことができる。
【００２２】
（９）  上記（７）又は（８）の計量装置においては、前記算出部が、前記重量差の平均値と前記定重量との比を百分率で算出するものであり、前記表示部が、前記比を表示するものであってもよい。
【００２３】
上記（９）の構成によれば、生産した商品の平均ロス率（前記重量差の平均値と前記定重量との比）を明確に検知及び表示することが可能な計量装置を提供することができる。なお、本発明の計量装置によって得られた平均ロス率（前記重量差の平均値と前記定重量との比）の情報は、直感的に理解できるものなので、オペレータなどが確認すれば、商品の生産時のロスをより抑制することができる。
【００２４】
（１０）  上記（７）〜（９）の計量装置においては、前記重量差の平均値が所定の上限値に到達した際、前記警告部が所定の警告を発するものであってもよい。
【００２５】
上記（１０）の構成によれば、前記重量差の平均値が予め設定しておいた所定の上限値以上になっていることを、オペレータなどに報知することが可能な計量装置を提供することができる。なお、例えば、前記警告をオペレータなどに報知することで、商品の生産時のロスを抑制するように促すことができる。
【００２６】
（１１）  上記（１）〜（１０）の計量装置においては、前記算出部が、前記記憶部に記憶された前記実重量の情報に基づいて重量分布情報を生成するものであり、前記表示部が、前記重量分布情報を表示するものであってもよい。
【００２７】
上記（１１）の構成によれば、より商品生産時のロスの改善に活用できる前記重量分布情報を検知及び表示することが可能な計量装置を提供することができる。なお、得られた前記重量分布情報を利用して、例えば、重量のばらつきが大きくロスの大きい商品だと判明した場合には、定重量定額商品から、計量商品・対面販売へ切り替える、又は、重量のばらつきが少なく生産ロスの大きい商品だと判明した場合には、定重量を引き上げる若しくは実重量を抑えるようにする、などの経営改善を行うことができる。
【発明を実施するための最良の形態】
【００２８】
以下、図面を用いて、本発明の実施形態に係る計量装置について説明する。図１は、本発明の実施形態に係る計量装置の概略構成図である。図２は、図１に示した計量装置の制御ブロック図である。
【００２９】
図１に示した計量装置１００は、基台１と、基台１の上部に設けられた計量部２と、基台１の正面側に設けられた表示部３と、表示部３に隣接して設けられた計量キー４及び入力キー５と、基台１の内部に設けられた記憶部６（図１には図示せず）と、計量装置１００の各種制御を行うＣＰＵ７（図１には図示せず）と、ＣＰＵ７によって実行されるプログラムが格納されているＲＯＭ８（図１には図示せず）と、を備えている。
【００３０】
計量部２は、定重量定額に設定した商品の実重量を計量するものである。計量部２によって計量された商品の実重量情報は、計量部Ｉ／Ｆ（インターフェース）９を介して記憶部６に送信される。
【００３１】
表示部３は、表示コントローラ１０によって、図３又は図４に示されたような各種情報などを画面表示するように制御されるものである。以下、図３及び図４について説明する。
【００３２】
図３は、商品についての各種情報を示している表示部３の表示３ａを示す図である。表示３ａには、商品の予約番号を表示する予約番号表示２１と、商品名を表示する商品名表示２２と、購買者が購買しようとしている商品の現個数を表示する商品個数表示２３と、商品の単位個数当たりの金額を表示する単位個数金額表示２４と、購買者が購買しようとしている商品の合計金額を表示する合計金額表示２５と、予め設定された商品の定重量を表示する定重量表示２６と、商品の単価（ここでは１００ｇ当たりのもの）を表示する商品単価表示２７と、予め設定された商品１個当たりの実重量の上限値を表示する上限値表示２８と、現在計量中の商品の実重量を表示する実重量表示２９と、生産した商品の重量ロス（前記実重量と前記定重量との重量差）を表示する重量ロス表示３０と、生産した商品の金額ロス（前記実金額と前記定額との重量差）を表示する金額ロス表示３１と、生産した商品のロス率（前記重量差と前記定重量との比）を表示するロス率表示３２と、現在までの重量ロスの累積値（累積重量差）である累積重量ロスを表示する累積重量ロス表示３３と、現在までの金額ロスの累積値（累積金額差）である累積金額ロスを表示する累積金額ロス表示３４と、平均重量ロス（前記重量ロスの平均値）を表示する平均重量ロス表示３５と、平均金額ロス（前記金額ロスの平均値）を表示する平均金額ロス表示３６と、平均ロス率（前記ロス率の平均値）を表示する平均ロス率表示３７と、が表示されている。ここで、平均重量ロスは、「（前記実重量−前記定重量）の平均（ｇ）」の式によって算出されるものである。平均金額ロスは、「平均重量ロス×（単価／１００）（円）」の式によってそれぞれ算出されるものである。の各式によって算出されるものである。平均ロス率は、「（平均重量ロス／定重量）×１００（％）」の式によって算出されるものである。
【００３３】
また、予約番号表示２１には、オペレータのキー入力により数値「０００１」が表示され、各数値に割り付けられた商品名「神戸牛ヒレステーキ」が商品名表示２２に表示されている。商品個数表示２３には、オペレータのキー入力により商品の個数「１個」が表示されている。単位個数金額表示２４には、商品の単位個数当たりの金額「１０００円」が表示されている。合計金額表示２５には、「商品個数表示２３の個数×単位個数金額表示２４の金額（円）」の式によって算出される金額「１０００円」が表示されている。定重量表示２６には定重量「２００ｇ」が表示され、商品単価表示２７には単価「５００円」が表示されている。上限値表示２８には、上限値「２１５ｇ」が表示されている。
【００３４】
実重量表示２９には、計量部２において計量中の商品の実重量「２１１ｇ」が表示されている。なお、商品の個数が複数ある場合には、実重量表示２９に実重量の合計が表示される。重量ロス表示３０には、後述するＣＰＵ７及びＲＯＭ８によって算出された重量ロスの値「１１ｇ」が表示され、金額ロス表示３１には、後述するＣＰＵ７及びＲＯＭ８によって重量ロスの値を基に算出された値「５５円」が表示されている。ロス率表示３２には、後述するＣＰＵ７及びＲＯＭ８によって重量ロスの値を基に算出されたロス率「５．５％」が表示されている。累積重量ロス表示３３には、記憶部６に記憶された重量ロスの情報を基に、後述するＣＰＵ７及びＲＯＭ８によって算出された累積重量ロス「１２５０ｇ」が表示されている。累積金額ロス表示３４には、記憶部６に記憶された重量ロスの情報を基に、後述するＣＰＵ７及びＲＯＭ８によって算出された累積金額ロス「６２５０円」が表示されている。平均重量ロス表示３５には、記憶部６に記憶された重量ロスの情報を基に、後述するＣＰＵ７及びＲＯＭ８によって算出された平均重量ロス「１０ｇ」が表示されている。平均金額ロス表示３６には、後述するＣＰＵ７及びＲＯＭ８によって平均重量ロスの値を基に算出された「５０円」が表示されている。平均ロス率表示３７には、後述するＣＰＵ７及びＲＯＭ８によって平均重量ロスの値を基に算出された「５．０％」が表示されている。
【００３５】
図４は、記憶部６に記憶された各商品の実重量の情報に基づいて生成された重量分布を示している表示部３の表示３ｂを示す図である。表示３ｂには、商品の実重量のうち商品の定重量を超えた重量の、商品の定重量に対する割合を分析する範囲として表示した分析範囲表示４１と、重量分布の棒グラフ４２と、重量分布についての分析範囲を図示した矢印表示４３と、が表示されている。なお、分析範囲表示４１の数値を導出するための計算式は、（（商品の実重量−商品の定重量）／商品の定重量）（％）である。ここでは、分析範囲表示４１に、オペレータの入力により設定された分析範囲「１０％」が表示されており、商品の定重量から１０％増までを重量ロスの許容範囲として、明示できるようになっている。
【００３６】
計量キー４は、計量部２の上に商品が載置された際、オペレータなどが押すことによって、例えば、（ａ）該商品の実重量を計量するように計量部２に命令、（ｂ）計量部２によって得られた実重量の情報を記憶部６に記憶させるように命令、（ｃ）ＣＰＵ７に、ＲＯＭ８内のプログラムを実行するように命令するものである。なお、計量キー４からの入力は、計量キーコントローラ１１によって制御される。
【００３７】
入力キー５は、数字及び各種情報を入力することができるものであり、入力された情報は、表示部３に表示できると共に、記憶部６に記憶させることもできる。なお、入力キー５からの入力は、入力キーコントローラ１２によって制御される。
【００３８】
記憶部６は、商品名の情報、予め設定した商品の定重量定額の情報、計量部２によって得られた商品の実重量の情報、などの各種情報を記憶できるものである。
【００３９】
ＲＯＭ８には、例えば、（Ａ）記憶部６に記憶された各種情報を読み出して、商品ごとに前記実重量と前記定重量との重量差を計算し、前記重量差の平均値を算出するプログラム、（Ｂ）前記重量差の平均値及び前記定重量定額の情報に基づいて、前記定額と前記商品の実金額との金額差の平均値を算出するプログラム、（Ｃ）前記重量差の平均値と前記定重量との比を百分率で算出するプログラム、（Ｄ）前記重量差が所定の上限値に到達した際、表示部３において警告画面を表示させるプログラム、（Ｅ）前記記憶部に記憶された前記実重量の情報に基づいて重量分布情報を生成するプログラム、（Ｆ）必要に応じて、各種情報を表示部３に表示させるプログラム、（Ｇ）分析範囲表示４１の数値を導出するプログラムなどが格納されている。
【００４０】
なお、ＣＰＵ７及びＲＯＭ８は、前記重量差の平均値などの数値を算出する算出部の一部を形成している。また、表示部３、ＣＰＵ７及びＲＯＭ８は、前記重量差が所定の上限値に到達した際に警告を発するものである警告部の一部を形成している。なお、前記警告部の警告は、ＣＰＵ７及びＲＯＭ８によって、上記（Ｄ）のプログラムを実行することにより、図５の表示部３における表示３ｃに示すように、画面上に警告表示３８を単に表示又は点滅表示するようにして行う。
【００４１】
次に、計量装置１００のオペレータの操作について説明する。オペレータは、例えば、神戸牛ヒレステーキを「定重量２００ｇ、定額５００円」の商品として販売しようとする場合、まず、商品番号を入力キー５で予約番号を入力して記憶部６から品名リスト「神戸牛ヒレステーキ」を選択して決定する。続いて、オペレータは、入力キー５を入力して単価を「５００円」に、定重量を「２００ｇ」にそれぞれ設定する。また、オペレータは、入力キー５を入力して、商品１個当たりの実重量の上限値を表示する上限値表示２８を「２１５ｇ」に設定する。
【００４２】
そして、商品が計量部２の上に載置され、オペレータによって計量キー４が押されることによって、生産された各商品が順に計量され、各商品を計量するごとに実重量が実重量表示２９に表示される。このとき、計量された商品の個数及び各商品の実重量の情報は、記憶部６に記憶される。また、記憶部６に記憶された各商品の実重量の情報、定重量定額の情報を基に、各商品を順に計量するごとに、ＣＰＵ７及びＲＯＭ８によって重量ロス、金額ロス、ロス率、累積重量ロス、累積金額ロス、平均重量ロス、平均金額ロス及び平均ロス率を算出し、各数値をそれぞれ重量ロス表示３０、金額ロス表示３１、ロス率表示３２、累積重量ロス表示３３、累積金額ロス表示３４、平均重量ロス表示３５、平均金額ロス表示３６及び平均ロス率表示３７に表示する。
【００４３】
本実施形態によれば、以下の効果を奏することができる。すなわち、生産した商品の重量ロス（前記実重量と前記定重量との重量差）及び該重量ロスの平均値の情報を具体的に検知し、表示部３に表示することが可能な計量装置１００を提供できる。なお、計量装置１００によって得られた重量ロス又は該重量ロスの平均値の情報を、オペレータなどが直接確認すれば、商品の生産時のロスを抑制することが可能となる。
【００４４】
また、生産した商品の金額ロス（前記実金額と前記定額との重量差）及び該金額ロスの平均値の情報を具体的に検知し、表示部３に表示することが可能な計量装置１００を提供できる。なお、計量装置１００によって得られた金額ロス又は該金額ロスの平均値の情報を、オペレータなどが直接確認することで、商品の生産時のロスをより抑制することが可能となる。また、計量装置１００によって得られた金額ロス又は該金額ロスの平均値の情報を、例えば、チェーン店舗ごとに分析し、経理面から金額ロスのある店舗の経営改善を行うことができる。
【００４５】
さらに、生産した商品のロス率（前記重量差と前記定重量との比）及び平均ロス率（前記重量差の平均値と前記定重量との比）を明確に検知し、表示部３に表示することが可能な計量装置１００を提供することができる。なお、計量装置１００によって得られたロス率又は平均ロス率の情報は、直感的に理解できるものなので、オペレータなどが確認すれば、商品の生産時のロスをより抑制することができる。
【００４６】
また、現在までの重量ロスの累積値（累積重量差）を明確に検知及び表示することが可能な計量装置１００を提供することができる。なお、計量装置１００によって得られた重量ロスの累積値（累積重量差）の情報は、容易に視認できるものなので、オペレータなどが確認すれば、商品の生産時のロスをより抑制することができる。
【００４７】
さらに、現在までの金額ロスの累積値（累積金額差）を明確に検知及び表示することが可能な計量装置１００を提供することができる。なお、計量装置１００によって得られた金額ロスの累積値（累積金額差）の情報は、容易に視認できるものなので、オペレータなどが確認すれば、商品の生産時のロスをより抑制することができる。
【００４８】
加えて、前記重量差が予め設定しておいた所定の上限値以上になっているという警告を表示部３に表示させる警告部によってオペレータなどに報知することが可能な計量装置１００を提供することができる。このように、前記警告を表示部３においてオペレータなどに報知するので、商品の生産時のロスを抑制するように促すことができる。
【００４９】
また、より商品生産時のロスの改善に活用できる重量分布情報を検知し、表示部３に表示することが可能な計量装置１００を提供することができる。なお、得られた前記重量分布情報を利用して、例えば、（１）重量のばらつきが大きくロスの大きい商品だと判明した場合には、定重量定額商品から、計量商品・対面販売へ切り替える、又は、（２）重量のばらつきが少なく生産ロスの大きい商品だと判明した場合には、定重量を引き上げる若しくは実重量を抑えるようにする、などの経営改善を行うことができる。
【００５０】
＜他の実施形態など＞
また、本発明は、特許請求の範囲を逸脱しない範囲で設計変更できるものであり、上記実施形態又は変形例に限定されるものではない。例えば、上記実施形態においては、計量キー４及び入力キー５をタイプ方式としているが、これらのキーをタッチパネル方式のキーとしてもよい。
【００５１】
また、上記実施形態においては、オペレータによって計量キー４が押されることによって、生産された各商品が順に計量されるものであるが、この代わりに、商品を計量部２に載置して所定時間経過すると自動的に計量する計量装置としてもよい。
【００５２】
さらに、数店舗以上有している会社などの各店舗の各売り場に計量装置１００をそれぞれ設け、インターネット回線を介してネットワーク化し、各情報を一括管理できるようにしてもよい。これにより、各情報を会社単位などの大きい規模で把握でき、経営改善に役立てることも可能である。
【００５３】
加えて、上記実施形態における図３又は図４に示した画面は、表示部３において、一画面に一つずつ切り変え表示することとしてもよいし、一つの画面を２つ以上に分割して同時表示させてもよい。
【００５４】
また、上記実施形態においては、設定した上限値を超えた際の警告を表示部３の画面表示にて行うものであったが、この代わりに、警告音を用いて行うものであってもよいし、警告ランプなどを別に設けて行うものであってもよい。
【００５５】
また、上記実施形態におけるＲＯＭ８に、前記重量差の平均値が所定の上限値に到達した際、表示部３において警告画面を表示させるプログラムを格納しておいて、ＣＰＵ７によって該プログラムを実行し、図５の表示部３における表示３ｃに示した警告表示と同様に、表示部３の画面上に警告表示を単に表示又は点滅表示するようにして警告を行ってもよい。これにより、前記重量差の平均値が予め設定しておいた所定の上限値以上になっているという警告をオペレータなどに報知することが可能な計量装置を提供することができる。このように、前記警告を表示部３においてオペレータなどに報知するので、商品の生産時のロスを抑制するように促すことができる。
【図面の簡単な説明】
【００５６】
【図１】本発明の実施形態に係る計量装置の概略構成図である。
【図２】図１に示した計量装置の制御ブロック図である。
【図３】図１に示した計量装置の表示部３における表示３ａを示す図である。
【図４】図１に示した計量装置の表示部３における表示３ｂを示す図である。
【図５】図１に示した計量装置の表示部３における表示３ｃを示す図である。
【符号の説明】
【００５７】
１    基台
２    計量部
３    表示部
３ａ、３ｂ、３ｃ    表示
４    計量キー
５    入力キー
６    記憶部
１０    表示コントローラ
１１    計量キーコントローラ
１２    入力キーコントローラ
２１    予約番号表示
２２    商品名表示
２３    商品個数表示
２４    単位個数金額表示
２５    合計金額表示
２６    定重量表示
２７    商品単価表示
２８    上限値表示
２９    実重量表示
３０    重量ロス表示
３１    金額ロス表示
３２    ロス率表示
３３    累積重量ロス表示
３４    累積金額ロス表示
３５    平均重量ロス表示
３６    平均金額ロス表示
３７    平均ロス率表示
３８    警告表示
４１    分析範囲表示
４２    棒グラフ
４３    矢印表示
１００    計量装置
【図１】
2010156606.tif 000003
【図２】
2010156606.tif 000004
【図３】
2010156606.tif 000005
【図４】
2010156606.tif 000006
【図５】
2010156606.tif 000007